(57)【特許請求の範囲】
【請求項１】
正面視で、スタンドを含み、
前記スタンドの中には上方に開口した伝送溝が左右に貫通するように形成されており、前記伝送溝の中には輸送ベルトがスライドできるように設置され、荷物が前記輸送ベルトの上端に置かれて輸送され、前記輸送ベルトの中には一列の輸送車輪が連結され、前記輸送車輪の中には伝送軸が固定的に連結され、前記伝送溝の前側内壁の中には伝動装置が設置され、前記伝動装置は前記伝送軸によって前記輸送車輪を回転させることができ、且つ前記輸送ベルトによって前記荷物を輸送することができ、前記荷物の前端には二次元コードタグが張られており、乗客のチケットに同じの前記二次元コードタグが張られており、
前記伝動装置の上側には押し動かし装置が設置され、前記押し動かし装置は前記荷物にある前記二次元コードタグを読み取れ、且つ前記荷物を押し動かし、前記伝動装置と前記押し動かし装置とが伝動ベルトによって連結され、前記伝動装置は前記押し動かし装置を駆動することができ、
前記伝送溝の後側内壁の中には戸板装置が設置され、前記戸板装置と前記押し動かし装置とが噛み合うように連結され、前記押し動かし装置は前記戸板装置に前記伝送溝を開けさせることができ、この時に前記押し動かし装置は前記荷物を前記伝送溝から押し出すことができ、
前記スタンドの後端には連結レールが固定的に連結され、前記連結レールの中には上方に開口したスライドガイド溝が前後に貫通するように形成されており、前記スライドガイド溝は前記戸板装置に正対しており、
前記連結レールの後端には収納箱が固定的に連結され、前記収納箱の中には上方に開口した収納チャンバが設置され、前記収納チャンバの内周面内壁の中には弾性パッドが固定的に設置され、前記荷物は前記スライドガイド溝に沿って前記収納チャンバの中に入り、前記弾性パッドは前記荷物が前記収納箱と衝突して傷つくことを避けられ、前記収納箱の上端には指示板が固定的に連結され、乗客は前記指示板によって前記荷物を見つけることができることを特徴とする二次元コードを読み取ることに基づく現代物流の問い合わせシステム。
【請求項２】
前記伝動装置は前記伝送溝の前側内壁の中に設置された噛み合いチャンバを含み、前記噛み合いチャンバの中には固定ギヤが回転できるように設置され、前記固定ギヤの前端にはモーター軸が固定的に連結され、前記噛み合いチャンバの前側内壁の中には電動機が固定的に設置され、前記モーター軸の前端が前記電動機に動力が伝達できるように連結され、一つの前記伝送軸の前端が前記噛み合いチャンバの中に伸びており、且つ前記固定ギヤに固定的に連結され、
前記固定ギヤの左端にはスライドギヤが噛み合えるように設置され、前記スライドギヤの左端には回転ブロックが回転できるように連結され、前記回転ブロックの左端と前記噛み合いチャンバの左側内壁との間には電磁バネが固定的に連結され、前記スライドギヤの中には左方に開口した大噛合穴が設置され、前記大噛合穴の右側内壁の中には小噛合穴が連通するように設置され、前記小噛合穴の中には長回転軸と片持ちスクリューとがスプラインによって連結され、
前記噛み合いチャンバの左側内壁の中にはスライド溝が形成されており、前記スライド溝の後側内壁が前記伝送溝と連通しており、前記スライド溝の中にはスライド板がスライドできるように設置され、前記スライド板の中には回転ブロックが設置され、前記片持ちスクリューの左端が伸びて前記回転ブロックの中に入り、且つ前記スライド板とネジ山によって連結され、前記長回転軸の左端が前記スライド溝の左側内壁に回転できるように連結されていることを特徴とする請求項１に記載の二次元コードを読み取ることに基づく現代物流の問い合わせシステム。
【請求項３】
前記回転ブロックの中には下プーリが回転できるように設置され、前記下プーリが前記長回転軸に固定的に連結され、前記伝動ベルトの下端が前記下プーリに連結され、前記スライド板の左端と前記スライド溝の左側内壁との間には圧縮バネが固定的に連結されていることを特徴とする請求項２に記載の二次元コードを読み取ることに基づく現代物流の問い合わせシステム。
【請求項４】
前記押し動かし装置は前記回転ブロックの上側内壁の中に連通するように形成された連結溝を含み、前記連結溝の上側内壁の中には伝動チャンバが連通するように設置され、前記伝動チャンバの中にはタイミング車輪が左右対称的に、且つ回転できるように設置され、前記伝動ベルトの上端が前側の前記タイミング車輪に連結され、両側の前記タイミング車輪の間にはタイミングベルトが連結され、前記タイミング車輪の中にはタイミング軸が固定的に連結され、前記タイミング車輪の右側には前記タイミング軸に固定的に連結された扇状ギヤが回転できるように設置され、両側の前記扇状ギヤの間には中間ギヤが噛み合えるように設置され、前記中間ギヤの右端には双方向スクリューが固定的に連結され、
前記伝動チャンバの右側内壁の中には伸縮チャンバが設置され、前記伸縮チャンバの後側内壁が前記伝送溝に連通しており、前記双方向スクリューの右端が前記伸縮チャンバの中に伸びており、且つ前記双方向スクリューの右端には二つのネジ山ブロックがネジ山によって連結され、前記ネジ山ブロックの後端には伸縮装置が連結され、前記伸縮装置の後端にはプッシュ板が連結されていることを特徴とする請求項３に記載の二次元コードを読み取ることに基づく現代物流の問い合わせシステム。
【請求項５】
前記プッシュ板の中には後方に開口した取付溝が形成されており、前記取付溝の前側内壁には二次元コードスキャン検出ヘッドが固定的に設置されていることを特徴とする請求項４に記載の二次元コードを読み取ることに基づく現代物流の問い合わせシステム。
【請求項６】
前記伸縮装置は回転可能な六本のヒンジロッドを含み、二本の前記ヒンジロッドの前端がそれぞれ前記ネジ山ブロックにヒンジで連結され、前記プッシュ板の中には前方に開口した方向ガイド溝が形成されており、前記方向ガイド溝の左右内壁の間には連結ロッドが固定的に連結され、前記方向ガイド溝の中には二つのスライドブロックがスライドできるように設置され、前記スライドブロックが前記連結ロッドにスライドできるように連結され、二つの前記ヒンジロッドの後端がそれぞれ前記スライドブロックにヒンジで連結されていることを特徴とする請求項４に記載の二次元コードを読み取ることに基づく現代物流の問い合わせシステム。
【請求項７】
前記戸板装置は前記スライド溝の上側内壁の中に左右対称的に、且つ連通するように形成された前凹溝を含み、前記前凹溝の後側内壁が前記伝送溝に連通しており、前記スライド板の上端面の中にはラックが左右対称的に、且つ固定的に設置され、前記前凹溝の中には連結ギヤが回転できるように設置され、両側の前記連結ギヤの下端がそれぞれ両側の前記ラックに噛み合っており、前記連結ギヤの中には横向き軸が固定的に連結され、前記横向き軸の後端には主動ギヤが固定的に連結され、前記主動ギヤの上端には従動ギヤが噛み合うように設置され、前記従動ギヤの上端には鉛直軸が固定的に連結され、前記従動ギヤの上側には前記鉛直軸に固定的に連結された主動プーリが回転できるように設置され、前記伝送溝の後側内壁の中には後凹溝が左右対称的に、且つ連通するように形成されており、前記後凹溝の中には従動プーリが回転できるように設置され、前記主動プーリと前記従動プーリとの間には連結ベルトが連結され、
前記従動プーリの中には戸板軸が固定的に連結され、前記伝送溝の後側内壁の中には後方に開口した抜き穴が連通するように設置され、前記抜き穴が前記スライドガイド溝に正対しており、前記戸板軸が前記抜き穴の中に伸びており、且つ、前記戸板軸には戸板が固定的に連結されていることを特徴とする請求項３に記載の二次元コードを読み取ることに基づく現代物流の問い合わせシステム。
【請求項８】
前記伝送溝の前後内壁の間には固定ロッドが左右対称的に、且つ固定的に連結され、前記固定ロッドの中には連通チャンバが前後に貫通するように設置されていることを特徴とする請求項７に記載の二次元コードを読み取ることに基づく現代物流の問い合わせシステム。
【請求項９】
前記戸板の上下両端の間及び前記抜き穴の上下両側内壁の間にはトーションバネが固定的に連結されていることを特徴とする請求項７に記載の二次元コードを読み取ることに基づく現代物流の問い合わせシステム。
【発明の詳細な説明】
【技術分野】
【０００１】
本発明は物流分野に関わり、具体的には二次元コードを読み取ることに基づく現代物流の問い合わせシステムである。
【背景技術】
【０００２】
飛行機に乗る時、荷物を託送する必要があり、飛行機から降りた後に、荷物が輸送ベルトで順に輸送され、乗客は自分自身で荷物を見つけて取り出し、時々託送の荷物は多く、乗客は荷物とすれ違い又は荷物を間違え、乗客の時間を浪費し、託送物流の効率を下げ、本発明は二次元コードを読み取ることに基づく現代物流の問い合わせシステムを開示して上記の問題を解決し、乗客の荷物及びチケットに同じな二次元コードのタグを張り、乗客は直接にスマホでチケットに張られた二次元コードを読み取れば荷物の位置が分かり、それと同時に本発明は荷物に張られた二次元コードを読み取ることによって荷物を輸送ベルトから降ろし、且つ荷物の位置を乗客に伝えられ、託送物流の効率を高め、また乗客が荷物を間違えることを回避でき、託送物流システムの中に複数の本発明装置を設置でき、荷物の問い合わせと取る効率を高める。
【先行技術文献】
【特許文献】
【０００３】
【特許文献１】中国特許出願公開第１０９９６１１１５号明細書
【発明の概要】
【発明が解決しようとする課題】
【０００４】
技術上の問題：
乗客は託送の荷物を取る時に自分の荷物とすれ違い又は荷物を間違えやすく、託送物流の効率を下げる。
【課題を解決するための手段】
【０００５】
上記の問題を解決するために、本発明の実施例は二次元コードを読み取ることに基づく現代物流の問い合わせシステムをデザインした。本発明の実施例の二次元コードを読み取ることに基づく現代物流の問い合わせシステムは、スタンドを含み、前記スタンドの中には上方に開口した伝送溝が左右に貫通するように形成されており、前記伝送溝の中には輸送ベルトがスライドできるように設置され、荷物が前記輸送ベルトの上端に置かれて輸送され、前記輸送ベルトの中には一列の輸送車輪が連結され、前記輸送車輪の中には伝送軸が固定的に連結され、前記伝送溝の前側内壁の中には伝動装置が設置され、前記伝動装置は前記伝送軸によって前記輸送車輪を回転させることができ、且つ前記輸送ベルトによって前記荷物を輸送することができ、前記荷物の前端には二次元コードタグが張られており、乗客のチケットに同じの前記二次元コードタグが張られており、前記伝動装置の上側には押し動かし装置が設置され、前記押し動かし装置は前記荷物にある前記二次元コードタグを読み取れ、且つ前記荷物を押し動かし、前記伝動装置と前記押し動かし装置とが伝動ベルトによって連結され、前記伝動装置は前記押し動かし装置を駆動することができ、前記伝送溝の後側内壁の中には戸板装置が設置され、前記戸板装置と前記押し動かし装置とが噛み合うように連結され、前記押し動かし装置は前記戸板装置に前記伝送溝を開けさせることができ、この時に前記押し動かし装置は前記荷物を前記伝送溝から押し出すことができ、前記スタンドの後端には連結レールが固定的に連結され、前記連結レールの中には上方に開口したスライドガイド溝が前後に貫通するように形成されており、前記スライドガイド溝は前記戸板装置に正対しており、前記連結レールの後端には収納箱が固定的に連結され、前記収納箱の中には上方に開口した収納チャンバが設置され、前記収納チャンバの内周面内壁の中には弾性パッドが固定的に設置され、前記荷物は前記スライドガイド溝に沿って前記収納チャンバの中に入り、前記弾性パッドは前記荷物が前記収納箱と衝突して傷つくことを避けられ、前記収納箱の上端には指示板が固定的に連結され、乗客は前記指示板によって前記荷物を見つけることができる。
【０００６】
有益なように、前記伝動装置は前記伝送溝の前側内壁の中に設置された噛み合いチャンバを含み、前記噛み合いチャンバの中には固定ギヤが回転できるように設置され、前記固定ギヤの前端にはモーター軸が固定的に連結され、前記噛み合いチャンバの前側内壁の中には電動機が固定的に設置され、前記モーター軸の前端が前記電動機に動力が伝達できるように連結され、一つの前記伝送軸の前端が前記噛み合いチャンバの中に伸びており、且つ前記固定ギヤに固定的に連結され、前記固定ギヤの左端にはスライドギヤが噛み合えるように設置され、前記スライドギヤの左端には回転ブロックが回転できるように連結され、前記回転ブロックの左端と前記噛み合いチャンバの左側内壁との間には電磁バネが固定的に連結され、前記電磁バネを通電させると、前記回転ブロックと前記スライドギヤとをスライドさせ、さらに前記スライドギヤを前記固定ギヤと噛み合わせ、前記スライドギヤの中には左方に開口した大噛合穴が設置され、前記大噛合穴の右側内壁の中には小噛合穴が連通するように設置され、前記小噛合穴の中には長回転軸と片持ちスクリューとがスプラインによって連結され、前記噛み合いチャンバの左側内壁の中にはスライド溝が形成されており、前記スライド溝の後側内壁が前記伝送溝と連通しており、前記スライド溝の中にはスライド板がスライドできるように設置され、前記スライド板の中には回転ブロックが設置され、前記片持ちスクリューの左端が伸びて前記回転ブロックの中に入り、且つ前記スライド板とネジ山によって連結され、前記長回転軸の左端が前記スライド溝の左側内壁に回転できるように連結されている。
【０００７】
好ましくは、前記回転ブロックの中には下プーリが回転できるように設置され、前記下プーリが前記長回転軸に固定的に連結され、前記伝動ベルトの下端が前記下プーリに連結され、前記スライド板の左端と前記スライド溝の左側内壁との間には圧縮バネが固定的に連結されている。
【０００８】
有益なように、前記押し動かし装置は前記回転ブロックの上側内壁の中に連通するように形成された連結溝を含み、前記連結溝の上側内壁の中には伝動チャンバが連通するように設置され、前記伝動チャンバの中にはタイミング車輪が左右対称的に、且つ回転できるように設置され、前記伝動ベルトの上端が前側の前記タイミング車輪に連結され、両側の前記タイミング車輪の間にはタイミングベルトが連結され、前記タイミング車輪の中にはタイミング軸が固定的に連結され、前記タイミング車輪の右側には前記タイミング軸に固定的に連結された扇状ギヤが回転できるように設置され、両側の前記扇状ギヤの間には中間ギヤが噛み合えるように設置され、前記中間ギヤの右端には双方向スクリューが固定的に連結され、前記伝動チャンバの右側内壁の中には伸縮チャンバが設置され、前記伸縮チャンバの後側内壁が前記伝送溝に連通しており、前記双方向スクリューの右端が前記伸縮チャンバの中に伸びており、且つ前記双方向スクリューの右端には二つのネジ山ブロックがネジ山によって連結され、二つの前記ネジ山ブロックと前記双方向スクリューとの連結されたネジ山の方向が逆であり、前記ネジ山ブロックの後端には伸縮装置が連結され、前記伸縮装置の後端にはプッシュ板が連結されている。
【０００９】
好ましくは、前記プッシュ板の中には後方に開口した取付溝が形成されており、前記取付溝の前側内壁には二次元コードスキャン検出ヘッドが固定的に設置され、前記二次元コードスキャン検出ヘッドによって前記二次元コードタグをスキャンすることができる。
【００１０】
好ましくは、前記伸縮装置は回転可能な六本のヒンジロッドを含み、二本の前記ヒンジロッドの前端がそれぞれ前記ネジ山ブロックにヒンジで連結され、前記プッシュ板の中には前方に開口した方向ガイド溝が形成されており、前記方向ガイド溝の左右内壁の間には連結ロッドが固定的に連結され、前記方向ガイド溝の中には二つのスライドブロックがスライドできるように設置され、前記スライドブロックが前記連結ロッドにスライドできるように連結され、二つの前記ヒンジロッドの後端がそれぞれ前記スライドブロックにヒンジで連結されている。
【００１１】
有益なように、前記戸板装置は前記スライド溝の上側内壁の中に左右対称的に、且つ連通するように形成された前凹溝を含み、前記前凹溝の後側内壁が前記伝送溝に連通しており、前記スライド板の上端面の中にはラックが左右対称的に、且つ固定的に設置され、前記前凹溝の中には連結ギヤが回転できるように設置され、両側の前記連結ギヤの下端がそれぞれ両側の前記ラックに噛み合っており、前記連結ギヤの中には横向き軸が固定的に連結され、前記横向き軸の後端には主動ギヤが固定的に連結され、前記主動ギヤの上端には従動ギヤが噛み合うように設置され、前記従動ギヤの上端には鉛直軸が固定的に連結され、前記従動ギヤの上側には前記鉛直軸に固定的に連結された主動プーリが回転できるように設置され、前記伝送溝の後側内壁の中には後凹溝が左右対称的に、且つ連通するように形成されており、前記後凹溝の中には従動プーリが回転できるように設置され、前記主動プーリと前記従動プーリとの間には連結ベルトが連結され、左側の前記連結ベルトが正方向に連結され、右側の前記連結ベルトが逆方向に連結され、前記従動プーリの中には戸板軸が固定的に連結され、前記伝送溝の後側内壁の中には後方に開口した抜き穴が連通するように設置され、前記抜き穴が前記スライドガイド溝に正対しており、前記戸板軸が前記抜き穴の中に伸びており、且つ、前記戸板軸には戸板が固定的に連結されている。
【００１２】
好ましくは、前記伝送溝の前後内壁の間には固定ロッドが左右対称的に、且つ固定的に連結され、前記固定ロッドの中には連通チャンバが前後に貫通するように設置され、前記連結ベルトが前記連通チャンバを通り抜け、前記固定ロッドは前記荷物が前記連結ベルトに衝突することの発生を避けられる。
【００１３】
好ましくは、前記戸板の上下両端の間及び前記抜き穴の上下両側内壁の間にはトーションバネが固定的に連結されている。
【発明の効果】
【００１４】
本発明の有益な効果は：乗客の荷物とチケットには同じの二次元コードタグが張られており、乗客は直接にスマホでチケットに張られた二次元コードをスキャンすれば荷物の位置のメッセージを得られ、それと同時に本発明は荷物に張られた二次元コードをスキャンすることによって荷物を輸送ベルトから押出せ、且つ荷物の位置を乗客に伝え、託送物流の効率を高め、また乗客が荷物を間違えることを避けられ、託送物流システムの中に複数の本発明装置を設置し、荷物の問い合わせと取ることの効率を高められる。
【図面の簡単な説明】
【００１５】
説明しやすいために、本発明を下記の具体的な実施例及び附図をもって詳しく説明する。下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の二次元コードを読み取ることに基づく現代物流の問い合わせシステムの全体構成概略図
【図２】図２は図１の「Ａ―Ａ」方向の構成概略図
【図３】図３は図１の「Ｂ―Ｂ」方向の構成概略図
【図４】図４は図１の「Ｃ―Ｃ」方向の構成概略図
【図５】図５は図３の「Ｄ―Ｄ」方向の構成概略図
【図６】図６は図３の「Ｅ」の拡大概略図
【図７】図７は図６の「Ｆ―Ｆ」方向の構成概略図
【発明を実施するための形態】
【００１７】
本発明は二次元コードを読み取ることに基づく現代物流の問い合わせシステムに関わり、主に空港で荷物を託送する時の物流の問い合わせに応用され、下記に本発明の附図を合わせて本発明をさらに説明する。
【００１８】
本発明に記載の二次元コードを読み取ることに基づく現代物流の問い合わせシステムはスタンド１１を含み、前記スタンド１１の中には上方に開口した伝送溝１５が左右に貫通するように形成されており、前記伝送溝１５の中には輸送ベルト１２がスライドできるように設置され、荷物１６が前記輸送ベルト１２の上端に置かれて輸送され、前記輸送ベルト１２の中には一列の輸送車輪１４が連結され、前記輸送車輪１４の中には伝送軸１３が固定的に連結され、前記伝送溝１５の前側内壁の中には伝動装置１００が設置され、前記伝動装置１００は前記伝送軸１３によって前記輸送車輪１４を回転させることができ、且つ前記輸送ベルト１２によって前記荷物１６を輸送することができ、前記荷物１６の前端には二次元コードタグ４７が張られており、乗客のチケットに同じの前記二次元コードタグ４７が張られており、前記伝動装置１００の上側には押し動かし装置１０１が設置され、前記押し動かし装置１０１は前記荷物１６にある前記二次元コードタグ４６を読み取れ、且つ前記荷物１６を押し動かし、前記伝動装置１００と前記押し動かし装置１０１とが伝動ベルト５７によって連結され、前記伝動装置１００は前記押し動かし装置１０１を駆動することができ、前記伝送溝１５の後側内壁の中には戸板装置１０２が設置され、前記戸板装置１０２と前記押し動かし装置１０１とが噛み合うように連結され、前記押し動かし装置１０１は前記戸板装置１０２に前記伝送溝１５を開けさせることができ、この時に前記押し動かし装置１０１は前記荷物１６を前記伝送溝１５から押し出すことができ、前記スタンド１１の後端には連結レール４１が固定的に連結され、前記連結レール４１の中には上方に開口したスライドガイド溝４２が前後に貫通するように形成されており、前記スライドガイド溝４２は前記戸板装置１０２に正対しており、前記連結レール４１の後端には収納箱４３が固定的に連結され、前記収納箱４３の中には上方に開口した収納チャンバ４５が設置され、前記収納チャンバ４５の内周面内壁の中には弾性パッド４４が固定的に設置され、前記荷物１６は前記スライドガイド溝４２に沿って前記収納チャンバ４５の中に入り、前記弾性パッド４４は前記荷物１６が前記収納箱４３と衝突して傷つくことを避けられ、前記収納箱４３の上端には指示板４６が固定的に連結され、乗客は前記指示板４６によって前記荷物１６を見つけることができる。
【００１９】
実施例によって、下記に前記伝動装置１００について詳しく説明し、前記伝動装置１００は前記伝送溝１５の前側内壁の中に設置された噛み合いチャンバ４０を含み、前記噛み合いチャンバ４０の中には固定ギヤ３８が回転できるように設置され、前記固定ギヤ３８の前端にはモーター軸３７が固定的に連結され、前記噛み合いチャンバ４０の前側内壁の中には電動機３６が固定的に設置され、前記モーター軸３７の前端が前記電動機３６に動力が伝達できるように連結され、一つの前記伝送軸１３の前端が前記噛み合いチャンバ４０の中に伸びており、且つ前記固定ギヤ３８に固定的に連結され、前記固定ギヤ３８の左端にはスライドギヤ３９が噛み合えるように設置され、前記スライドギヤ３９の左端には回転ブロック５１が回転できるように連結され、前記回転ブロック５１の左端と前記噛み合いチャンバ４０の左側内壁との間には電磁バネ５０が固定的に連結され、前記電磁バネ５０を通電させると、前記回転ブロック５１と前記スライドギヤ３９とをスライドさせ、さらに前記スライドギヤ３９を前記固定ギヤ３８と噛み合わせ、前記スライドギヤ３９の中には左方に開口した大噛合穴４９が設置され、前記大噛合穴４９の右側内壁の中には小噛合穴４８が連通するように設置され、前記小噛合穴４８の中には長回転軸５５と片持ちスクリュー４２とがスプラインによって連結され、前記噛み合いチャンバ４０の左側内壁の中にはスライド溝３５が形成されており、前記スライド溝３５の後側内壁が前記伝送溝１５と連通しており、前記スライド溝３５の中にはスライド板３４がスライドできるように設置され、前記スライド板３４の中には回転ブロック５１が設置され、前記片持ちスクリュー５２の左端が伸びて前記回転ブロック５１の中に入り、且つ前記スライド板３４とネジ山によって連結され、前記長回転軸５５の左端が前記スライド溝３５の左側内壁に回転できるように連結されている。
【００２０】
有益なように、前記回転ブロック５１の中には下プーリ５３が回転できるように設置され、前記下プーリ５３が前記長回転軸５５に固定的に連結され、前記伝動ベルト５７の下端が前記下プーリ５３に連結され、前記スライド板３４の左端と前記スライド溝３５の左側内壁との間には圧縮バネ５４が固定的に連結されている。
【００２１】
実施例によって、下記に前記押し動かし装置１０１について詳しく説明し、前記押し動かし装置１０１は前記回転ブロック５１の上側内壁の中に連通するように形成された連結溝５６を含み、前記連結溝５６の上側内壁の中には伝動チャンバ５８が連通するように設置され、前記伝動チャンバ５８の中にはタイミング車輪６１が左右対称的に、且つ回転できるように設置され、前記伝動ベルト５７の上端が前側の前記タイミング車輪６１に連結され、両側の前記タイミング車輪６１の間にはタイミングベルト５９が連結され、前記タイミング車輪６１の中にはタイミング軸６０が固定的に連結され、前記タイミング車輪６１の右側には前記タイミング軸６０に固定的に連結された扇状ギヤ６９が回転できるように設置され、両側の前記扇状ギヤ６９の間には中間ギヤ７０が噛み合えるように設置され、前記中間ギヤ７０の右端には双方向スクリュー７２が固定的に連結され、前記伝動チャンバ５８の右側内壁の中には伸縮チャンバ７３が設置され、前記伸縮チャンバ７３の後側内壁が前記伝送溝１５に連通しており、前記双方向スクリュー７２の右端が前記伸縮チャンバ７３の中に伸びており、且つ前記双方向スクリュー７２の右端には二つのネジ山ブロック７１がネジ山によって連結され、二つの前記ネジ山ブロック７１と前記双方向スクリュー７２との連結されたネジ山の方向が逆であり、前記ネジ山ブロック７１の後端には伸縮装置１０３が連結され、前記伸縮装置１０３の後端にはプッシュ板６６が連結されている。
【００２２】
有益なように、前記プッシュ板６６の中には後方に開口した取付溝６８が形成されており、前記取付溝６８の前側内壁には二次元コードスキャン検出ヘッド６７が固定的に設置され、前記二次元コードスキャン検出ヘッド６７によって前記二次元コードタグ４７をスキャンすることができる。
【００２３】
有益なように、前記伸縮装置１０３は回転可能な六本のヒンジロッド６２を含み、二本の前記ヒンジロッド６２の前端がそれぞれ前記ネジ山ブロック７１にヒンジで連結され、前記プッシュ板６６の中には前方に開口した方向ガイド溝６４が形成されており、前記方向ガイド溝６４の左右内壁の間には連結ロッド６５が固定的に連結され、前記方向ガイド溝６４の中には二つのスライドブロック６３がスライドできるように設置され、前記スライドブロック６３が前記連結ロッド６５にスライドできるように連結され、二つの前記ヒンジロッド６２の後端がそれぞれ前記スライドブロック６３にヒンジで連結されている。
【００２４】
実施例によって、下記に前記戸板装置１０２について詳しく説明し、前記戸板装置１０２は前記スライド溝３５の上側内壁の中に左右対称的に、且つ連通するように形成された前凹溝２６を含み、前記前凹溝２６の後側内壁が前記伝送溝１５に連通しており、前記スライド板３４の上端面の中にはラック３３が左右対称的に、且つ固定的に設置され、前記前凹溝２６の中には連結ギヤ３１が回転できるように設置され、両側の前記連結ギヤ３１の下端がそれぞれ両側の前記ラック３３に噛み合っており、前記連結ギヤ３１の中には横向き軸３２が固定的に連結され、前記横向き軸３２の後端には主動ギヤ３０が固定的に連結され、前記主動ギヤ３０の上端には従動ギヤ２９が噛み合うように設置され、前記従動ギヤ２９の上端には鉛直軸２８が固定的に連結され、前記従動ギヤ２９の上側には前記鉛直軸２８に固定的に連結された主動プーリ２７が回転できるように設置され、前記伝送溝１５の後側内壁の中には後凹溝１９が左右対称的に、且つ連通するように形成されており、前記後凹溝１９の中には従動プーリ２０が回転できるように設置され、前記主動プーリ２７と前記従動プーリ２０との間には連結ベルト１８が連結され、左側の前記連結ベルト１８が正方向に連結され、右側の前記連結ベルト１８が逆方向に連結され、前記従動プーリ２０の中には戸板軸２１が固定的に連結され、前記伝送溝１５の後側内壁の中には後方に開口した抜き穴１７が連通するように設置され、前記抜き穴１７が前記スライドガイド溝４２に正対しており、前記戸板軸２１が前記抜き穴１７の中に伸びており、且つ、前記戸板軸２１には戸板２２が固定的に連結されている。
【００２５】
有益なように、前記伝送溝１５の前後内壁の間には固定ロッド２４が左右対称的に、且つ固定的に連結され、前記固定ロッド２４の中には連通チャンバ２５が前後に貫通するように設置され、前記連結ベルト１８が前記連通チャンバ２５を通り抜け、前記固定ロッド２４は前記荷物１６が前記連結ベルト１８に衝突することの発生を避けられる。
【００２６】
有益なように、前記戸板２２の上下両端の間及び前記抜き穴１７の上下両側内壁の間にはトーションバネ２３が固定的に連結されている。
【００２７】
下記に図１〜７を合わせて本発明の二次元コードを読み取ることに基づく現代物流の問い合わせシステムの使用ステップを詳しく説明する。
【００２８】
初期状態の時、伸縮装置１０３が収縮状態にあり、この時に、スライド板３４が右側の限界位置にあり、電磁バネ５０が停電状態で、片持ちスクリュー５２がスライドギヤ３９と連結されてなく、長回転軸５５がスライドギヤ３９と連結されていなく、スライドギヤ３９が固定ギヤ３８との噛み合いから離脱した状態にあり、圧縮バネ５４が正常状態にあり、戸板２２が閉められた状態にある。
【００２９】
使用の時、電動機３６が始動された状態にあり、それによってモーター軸３７によって固定ギヤ３８を回転連動させ、さらに伝送軸１３によって輸送車輪１４を回転連動させ、さらに輸送ベルト１２によって荷物１６を託送し、乗客はチケットに張られた二次元コードタグ４７をスキャンし、さらに二次元コードスキャン検出ヘッド６７が荷物１６に張られた二次元コードタグ４７をスキャンし、二次元コードスキャン検出ヘッド６７が対応した二次元コードタグ４７をスキャンした時、電磁バネを通電させ、さらに回転ブロック５１とスライドギヤ３９とをスライドさせ、さらにスライドギヤ３９を固定ギヤ３８と噛み合わせ、それと同時に片持ちスクリュー５２と長回転軸５５とがスライドギヤ３９に連結され、この時、固定ギヤ３８がスライドギヤ３９を回転連動させ、さらに片持ちスクリュー５２と長回転軸５５とを回転連動させ、片持ちスクリュー５２がスライド板３４を左方へスライド連動させ、またスライド板３４に圧縮バネ５４を圧縮させ、さらにプッシュ板６６を左方へスライド連動させ、またプッシュ板６６に荷物１６と平行状態を保持させ、それと同時に長回転軸５５が下プーリ５３を回転連動させ、さらに伝動ベルト５７によって前側のタイミング車輪６１を同期に回転連動させ、さらに前側のタイミング車輪６１はタイミングベルト５９によって後側のタイミング車輪６１を同期に回転連動させ、両側のタイミング車輪６１が両側のタイミング軸６０を同期に回転連動させ、さらにタイミング軸６０が扇状ギヤ６９を回転連動させ、さらに中間ギヤ７０を回転連動させ、スライド板３４が左方へスライドする過程において、前側の扇状ギヤ６９と中間ギヤ７０とが噛み合っており、この時に中間ギヤ７０が双方向スクリュー７２を回転連動させ、さらに両側のネジ山ブロック７１を互いに近づける方向にスライド連動させ、さらに伸縮装置１０３を広げ、且つプッシュ板６６を押し動かして後方へスライドさせ、この時、両側のスライドブロック６３が互いに近づくようにスライドし、さらにプッシュ板６６が後方へ荷物１６を押し動かし、スライド板３４が左方にスライドする時、ラック３３によって連結ギヤ３１を回転連動させ、さらに横向き軸３２によって主動ギヤ３０を回転連動させ、さらに従動ギヤ２９を回転連動させ、さらに鉛直軸２８によって主動プーリ２７を回転連動させ、さらに連結ベルト１８によって従動プーリ２０を回転連動させ、さらに戸板軸２１によって戸板２２を後方に回転連動させ、さらに抜き穴１７を開け、この時、プッシュ板６６が荷物１６を押し動かして後方に抜き穴１７を滑りで、さらに荷物１６がスライドガイド溝４２に沿って収納チャンバ４５の中に滑り込み、弾性パッド４４が荷物１６が他の物と衝突して傷つくことを避けられ、この時、二次元コードスキャン検出ヘッド６７が荷物１６の位置のメッセージを乗客に伝え、乗客は指示板４６によって荷物１６を見つけられ、荷物１６が収納チャンバ４５の中に滑り込んだ後、前側の扇状ギヤ６９が中間ギヤ７０との噛み合いから離脱し、且つ後側の扇状ギヤ６９が中間ギヤ７０と噛み合うようになり、この時、中間ギヤ７０は双方向スクリュー７２によってネジ山ブロック７１を互いに離れるようにスライド連動させ、さらに伸縮装置１０３を収縮し、さらにプッシュ板６６を前方にスライド連動させ、伸縮装置１０３が初期状態に戻った時に電磁バネ５０を停電させ、この時、スライドギヤ３９が固定ギヤ３８との噛み合いから離脱し、さらに圧縮バネ５４の弾力作用の下でスライド板３４を右方へスライド連動させ、且つ初期状態に戻らせ、トーションバネ２３の弾力作用によって戸板２２を閉めることを補助できる。
【００３０】
本発明の有益な効果は：乗客の荷物とチケットには同じの二次元コードタグが張られており、乗客は直接にスマホでチケットに張られた二次元コードをスキャンすれば荷物の位置のメッセージを得られ、それと同時に本発明は荷物に張られた二次元コードをスキャンすることによって荷物を輸送ベルトから押出せ、且つ荷物の位置を乗客に伝え、託送物流の効率を高め、また乗客が荷物を間違えることを避けられ、託送物流システムの中に複数の本発明装置を設置し、荷物の問い合わせと取ることの効率を高められる。
【００３１】
上記の方式によって、当業者は本発明の範囲内で作動モードに基づいて様々な変わりを行うことができる。
【要約】
【課題】本発明は二次元コードを読み取ることに基づく現代物流の問い合わせシステムを開示した。
【解決手段】
スタンドを含み、前記スタンドの中には上方に開口した伝送溝が左右に貫通するように形成されており、前記伝動溝の中には輸送ベルトがスライドできるように設置され、荷物が前記輸送ベルトの上端に置かれて輸送され、乗客の荷物とチケットには同じの二次元コードタグが張られており、乗客は直接にスマホでチケットに張られた二次元コードをスキャンすれば荷物の位置のメッセージを得られ、それと同時に本発明は荷物に張られた二次元コードをスキャンすることによって荷物を輸送ベルトから押出せ、且つ荷物の位置を乗客に伝え、託送物流の効率を高め、また乗客が荷物を間違えることを避けられ、託送物流システムの中に複数の本発明装置を設置し、荷物の問い合わせと取ることの効率を高められる。
【選択図】図１【図１】
0006753001.tif 000002
【図２】
0006753001.tif 000003
【図３】
0006753001.tif 000004
【図４】
0006753001.tif 000005
【図５】
0006753001.tif 000006
【図６】
0006753001.tif 000007
【図７】
0006753001.tif 000008